(57)【特許請求の範囲】
【請求項１】
施工中の建物に形成した上下の踊り場間に作業者が利用可能な状態に本設用階段を仮支持可能な仮設支持材としての仮設架材を亘らせるとともに、前記本設用階段を本設する前段階において前記仮設架材に仮支持させて作業者が利用可能な状態で前記本設用階段を前記踊り場間に架設する階段設置方法。
【請求項２】
前記仮設架材が、前記本設用階段をそれの全長に亘って支持するように構成されている請求項１記載の階段設置方法。
【発明の詳細な説明】
【技術分野】
【０００１】
本発明は、施工中の建物に本設用階段を設置する階段設置方法に関する。
【背景技術】
【０００２】
建物施工の際には、作業員の垂直動線としての施工用の階段が必要となる。施工用の階段としては仮設専用階段を設置するのが一般的であるが、本設用階段を施工用の階段に兼ねて先行設置することで、仮設専用階段の設置作業と撤去作業を不要にし、施工を簡略化することも行われている。
【０００３】
このように本設用階段を施工中の建物に先行設置する技術としては、鉛直姿勢にした仮設支柱によって既成の本設用階段の階段長さ方向両端部を直下の階段の階段長さ方向両端部から支持するものが知られている（下記特許文献１参照）。
【先行技術文献】
【特許文献】
【０００４】
【特許文献１】特開平４−３０９６５１号公報
【発明の概要】
【発明が解決しようとする課題】
【０００５】
しかしながら、上記従来の階段設置方法では、仮設支持材としての仮設支柱が本設用階段の直下の階段に立設状態で存在するため、この仮設支柱が直下の階段の利用の邪魔になり、複数階に亘る垂直動線としての利用が難しくなる不都合がある。
【０００６】
また、この従来の階段設置方法では、例えば、本設用階段が、階段長さ方向中間を上階側の建物躯体から吊り具で支持する状態で本設される吊り構造形式である場合、吊り元となる上階側の建物躯体が完成するまで待たないと安全に設置することができず、そのため、このような場合に施工用の階段としては設置が遅れる不都合がある。
【０００７】
この対策として、吊り元となる上階側の建物躯体が完成する前段階において階段長さ方向中間部を支持する仮設支柱を本設用階段の直下の階段の階段長さ方向中間部に立設状態で追加することも考えられるが、このようにすれば、この追加した仮設支柱が直下の階段の利用の更なる邪魔となり、複数階に亘る垂直動線としての利用が更に難しくなる。
【０００８】
この実情に鑑み、本発明の主たる課題は、施工中の建物に対して複数階に亘る垂直動線として利用し易い状態で本設用階段を先行設置することができるとともに、吊り構造形式等の種々の構造形式の本設用階段にも容易に対応することのできる階段設置方法を提供する点にある。
【課題を解決するための手段】
【０００９】
本発明の第１特徴構成は、施工中の建物に形成した上下の踊り場間に作業者が利用可能な状態に本設用階段を仮支持可能な仮設支持材としての仮設架材を亘らせるとともに、前記本設用階段を本設する前段階において前記仮設架材に仮支持させて作業者が利用可能な状態で前記本設用階段を前記踊り場間に架設する点にある。
【００１０】
つまり、この構成によれば、本設用階段を仮支持する仮設支持材が踊り場間に亘らせた仮設架材であるから、仮設支持材が仮設支柱である場合のように、仮設支持材が直下の階段の一部を占有して通行の支障になるのを回避することができる。
【００１１】
従って、施工中の建物に対して複数階に亘る垂直動線として利用し易い状態で本設用階段を先行設置することができる。
【００１２】
しかも、仮設支持材としての仮設架材が踊り場間に亘る状態、つまり、少なくとも階段の長さ分を有する状態で架設されているため、この仮設架材によって、本設用階段の階段長さ方向の適宜の箇所の支持を、直下の階段の通行の支障にならない状態で簡単に実現することができる。
【００１３】
従って、本設前の段階で階段長さ方向中間部の支持が必要となる吊り構造形式等の本設用階段にも容易に対応することができる。
本発明の第２特徴構成は、前記仮設架材が、前記本設用階段をそれの全長に亘って支持するように構成されている点にある。
【００１４】
また、前記仮設架材を、前記本設用階段の下方又は横側方に配設してもよい。
【００１５】
つまり、この構成によれば、本設用階段を仮設架材で仮支持させた状態において、仮設架材が本設用の階段の直上空間の一部を占有して通行の支障になることも回避することができるので、施工中の建物に対して複数階に亘る垂直動線として一層利用し易い状態で本設用階段を先行設置することができる。
【図面の簡単な説明】
【００１６】
【図１】施工中の建物の要部の斜視図
【図２】階段設置方法を模式的に示す図
【図３】階段設置方法を模式的に示す図
【図４】階段設置方法を模式的に示す図
【発明を実施するための形態】
【００１７】
図１は、施工中の建物の階段設置箇所Ｓに本設用階段１を先行設置（本設に先立って設置）した状態を示し、２は階段設置箇所Ｓに形成された踊り場、３は上下の踊り場２、２間に亘らせた仮設支持材としての仮設架材である。
【００１８】
本階段設置方法では、このように上下の踊り場２、２間に亘らせた仮設架材３に仮支持させる状態で本設用階段１を先行設置することで、建築現場における垂直動線（つまり、施工用の階段）としても本設用階段１を利用できるようにする。
【００１９】
前記上下の踊り場２、２は、本例では、後に撤去する仮設専用のものではなく、本設用の踊り場で構成されている。両踊り場２、２は、鉄骨やコンクリート等から構成されている。図示は省略するが、例えば、図１において、最も上階側の踊り場２は、仮設支持材としての枠組み足場や支柱等の支持される状態で仮設され、残りの踊り場２は、締結具や溶接、充填材等を用いた部材接合、或いは、コンクリートによる一体成形等により、施工中の建物に一体化させる状態で建物に本設されている。なお、踊り場２の設置方法は、現場の状況等に応じて適宜に選択すればよい。
【００２０】
前記本設用階段１は、鉄製のささら桁部１Ａと蹴上げ板部１Ｂと踏み板部１Ｃとが溶接や固定具等で予め一体的に構成された既成のものを用いている。この本設用階段１は、図４に示すように、少なくとも階段長さ方向中間部を含む階段長さ方向の複数個所をロッドやワイヤー等の吊り具４で上階側から支持させる状態で本設される吊り構造形式の吊り階段として構成されている。
【００２１】
なお、本設用階段１としては、例えば、プレキャストコンクリート製のもの等であってもよく、また、架設の構造形式も吊り構造形式以外のもの等であってもよい。
【００２２】
当該吊り具４は、図４に示すように、下端部を本設用階段１の左右のささら桁部１Ａの階段長さ方向の複数個所に突設された被連結片部１ｂ（図１参照）に連結し、上端部を梁等の建物躯体に固定（図示省略）することで、本設用階段１の階段長さ方向複数個所を支持するように構成されている。
【００２３】
前記本設用階段１の階段長さ方向両端部の左右両側には、踊り場２の前端部（階段側部）の左右両側に備えられた被取付部２ａに固定される取付片（取付部の一例）１ａが突設されている。
【００２４】
そして、本設用階段１の各取付片１ａと両踊り場２の各被取付部２ａとをボルト・ナット等の締結具や溶接等の接合手段で固定することで、本設の前段階から両踊り場２、２と本設用階段１とが接続連結されている。
【００２５】
前記仮設架材３は、図１に示すように、本設する前段階において作業者が利用可能な状態に本設用階段１を仮支持する仮設支持材であり、本例では、階段長さ寸法よりもやや長く構成した角パイプや溝形鋼等の剛性材から構成されている。
【００２６】
そして、前記仮設架材３は、図１、図３に示すように、本設用階段１の下方に位置する状態で両踊り場２、２の下端部どうしに亘って架設されている。そのため、仮設架材３が本設用階段１の直上空間を占有して通行の支障になるのを確実に回避する。
【００２７】
また、前記仮設架材３は、図２、図３に示すように、それの上面ラインＬ３が、本設用階段１の下端ラインＬ１（本例では、階段長さ方向に一定ピッチで並ぶ蹴上げ板部Ａ２と踏み板部Ａ３の裏面角部どうしを結ぶライン）の設置時の位置と一致する姿勢で踊り場２、２間に架設され、本設用階段１をそれの全長に亘って支持するように構成されている。
【００２８】
さらに、仮設架材３は、階段幅方向両端部（左右両端部）からやや中央側に偏移した左右二箇所に架設され、本設用階段１を階段幅方向に分散する複数箇所で支持するように構成されている。
【００２９】
すなわち、本階段設置方法では、このような仮設架材３による仮支持構造を採用することで、本設前の状態（つまり、上階側の建物躯体が完成して吊り具４で支持させる前の状態）では強度不足となる本設用階段１を全長及び全幅に亘って安定的に支持するようにしてあり、また、例えば、階段長さ方向で複数に分割された分割部材からなる階段構造などの種々の構造の階段にも適用できるようにしてある。
【００３０】
前記仮設架材３の長さ方向両端部には、前記踊り場２、２の底面部２Ｂに突設した被取付片２ｂに対する取付部３ａが屈曲形成されている。そして、前記踊り場２の被取付片２ｂと仮設架材３の取付部３ａとをボルト・ナット等の締結具や溶接等の接合手段で固定することで、上下の踊り場２、２間に仮設架材３が架設されている。
【００３１】
このように上下の踊り場２、２に対して仮設架材３を他の鉛直方向の支持部材を介することなく直接に固定することで、本設用階段１の直下の通路部を他の鉛直方向の支持部材が占有して通行の支障になるのも回避する。
【００３２】
次に、施工中の建物に本設用階段１を設置する各工程について説明する。
【００３３】
（ａ）本設用階段１の先行設置工程（仮設工程）
まず、図２に示すように、施工中の建物の階段設置箇所Ｓに形成された上下の踊り場２、２の底面部２Ｂの各被取付片２ｂに対し、左右一対の仮設架材３における長さ方向両端部の各取付部３ａを取り付けて、上下の踊り場２、２間に仮設架材３を亘らせる。
【００３４】
次に、図３に示すように、仮設架材３の上面部に載置させる状態で上下の踊り場２、２間に本設用階段１を配置し、上下の踊り場２、２の前端部の各被取付部２ａに本設用階段１の階段長さ方向両端部の各取付片１ａを取り付けて、本設用階段１を仮設架材３に仮支持させる状態で上下の踊り場２、２間に架設する。以上の工程により本設用階段１の先行設置を完了する。
【００３５】
なお、建築現場の状況によっては、本設用階段１と仮設架材３を予め地組みし、本設用階段１と仮設架材３の組物を上下の踊り場２、２に同時に取り付けるようにしてもよい。
【００３６】
（ｂ）本設用階段１の本設工程（仮設状態から本設状態への移行工程）
本設用階段１の吊り元となる上階側の建物躯体が完成した後、図４に示すように、本設用階段１の被連結片部１ｂ（図１参照）に吊り具４の下端部を連結するとともに、吊り具４の上端部を上階側の建物躯体に固定することで、仮設状態にある本設用階段１の階段長さ方向複数個所を吊り具４で支持させる。
【００３７】
その後、仮設架材３を撤去するとともに、上下の踊り場２、２の底面部２Ｂの被取付片２ｂをワイヤーソー等の切断手段で切断除去（分離除去の一例）する。以上の工程により本設用階段１の本設を完了する。
【００３８】
つまり、この本設工程では、仮設架材３の撤去に先立って本設用階段１に対する支持力を吊り具４で確保することができるとともに、仮設架材３の撤去後に上下の踊り場２の底面部２Ｂの被取付片２ｂを除去することで、上下の踊り場２、２の底面部を美麗に仕上げることができる。
【００３９】
〔その他の実施形態〕
（１）前述の実施形態では、施工中の建物に形成された踊り場２として、本設用の踊り場を例に示したが、後に撤去される仮設専用の踊り場であってもよい。
【００４０】
（２）前述の実施形態では、仮設架材３が角パイプや形材等の剛性材から構成されている場合を例に示したが、チェーンや鋼線等の非剛性材から構成されていてもよい。
【００４１】
（３）仮設架材３は、前述の実施形態で示した本設用階段１を全長に亘って支持するものに限らず、例えば、本設用階段１の階段長さ方向の一部だけを支持するものであってもよい。
【００４２】
（４）前述の実施形態では、仮設架材３を本設用階段１の下方に配設する場合を例に示したが、本設用階段１の階段幅方向外方などの本設用階段１の横側方に配設してもよく、場合によっては、本設用階段１の上方に配設してもよい。
【００４３】
（５）本設用階段１、踊り場２、仮設架材３の具体的構成、及び、これらの連結構造等の具体的構成は、前述の実施形態で示した構成に限らず、種々の構成変更が可能である。
【符号の説明】
【００４４】
１              本設用階段
２              踊り場
３              仮設架材
【図１】
0006375158.tif 000002
【図２】
0006375158.tif 000003
【図３】
0006375158.tif 000004
【図４】
0006375158.tif 000005